(57)【要約】      （修正有）【課題】ウェブサイトへのアクセスやチャンネル内のセグメントスキャンなどの無駄な処理や通信費を要することなく、従来の一般的な放送装置、或いはこれとは異なる未知の周波数配置で放送しているサービスの存在をユーザに通知する。【解決手段】第１の物理周波数帯域で放送しているデジタル放送を受信している際に、当該デジタル放送の受信品質が劣化すると、格納されている情報に示された物理周波数に基づいて、周波数編成情報を放送しているデジタル放送を受信し、該受信したデジタル放送に含まれる該周波数編成情報から、前記受信品質が劣化したデジタル放送のサービスに相当するサービスを放送している物理周波数を検出し、該検出した物理周波数に基づくデジタル放送の受信を試行し、受信に成功した場合は、第２の物理周波数帯域でデジタル放送を受信している旨を表示部に表示するように制御する制御部を具える。【選択図】図４
2008289019.tif 000002
【特許請求の範囲】
【請求項１】
同一のサービスを第１の物理周波数帯域と第２の物理周波数帯域とで放送すると共に、前記第２の物理周波数帯域では、前記サービスとは異なるサービスを放送しているデジタル放送システムのデジタル放送受信装置であって、
前記第２の物理周波数帯域内で放送している、前記第２の物理周波数帯域における物理周波数と前記サービスとの対応関係を示す周波数編成情報を受信するための情報を格納する記憶部と、
表示部と、
前記第１の物理周波数帯域で放送しているデジタル放送を受信している際に、当該デジタル放送の受信品質が劣化すると、前記記憶部に格納されている情報に示された物理周波数に基づいて、前記周波数編成情報を放送しているデジタル放送を受信し、該受信したデジタル放送に含まれる該周波数編成情報から、前記受信品質が劣化したデジタル放送のサービスに相当するサービスを放送している物理周波数を検出し、該検出した物理周波数に基づくデジタル放送の受信を試行し、受信に成功した場合は、前記第２の物理周波数帯域でデジタル放送を受信している旨を前記表示部に表示するように制御する制御部と、
を具えることを特徴とするデジタル放送受信装置。
【請求項２】
請求項１に記載のデジタル放送受信装置において、
前記物理周波数帯域は、物理チャンネルである、
ことを特徴とするデジタル放送受信装置。
【請求項３】
請求項１に記載のデジタル放送受信装置において、
前記物理周波数は、ＯＦＤＭセグメントを示す情報である、
ことを特徴とするデジタル放送受信装置。
【請求項４】
同一のサービスを第１の物理周波数帯域と第２の物理周波数帯域とで放送すると共に、前記第２の物理周波数帯域では、前記サービスとは異なるサービスを放送しているデジタル放送システムのデジタル放送受信装置であって、
前記第２の物理周波数帯域内で放送している、前記第２の物理周波数帯域における物理周波数と前記サービスとの対応関係を示す周波数編成情報を受信するための情報を格納する記憶部と、
デジタル放送を受信するたびに、該受信に対応する物理周波数帯域を示す情報と該物理周波数帯域で放送しているサービスを示す情報とを含むデータを記録する記録部と、
表示部と、
デジタル放送の受信を終了してから新たにデジタル放送の受信を開始する際に、前記記録部に記録されているデータが、前記第１の物理周波数帯域を示す情報を含んでいる場合は、該第１の物理周波数帯域を示す情報に基づいてデジタル放送を受信するように制御すると共に、該制御による受信において所定の受信品質が得られない場合は、前記記憶部に格納されている情報に基づいて、前記周波数編成情報を放送しているデジタル放送を受信し、該受信したデジタル放送に含まれる該周波数編成情報から、前記記録部に記録されているデータのサービスに相当するサービスを放送している物理周波数を検出し、該検出した物理周波数に基づくデジタル放送の受信を試行し、受信に成功した場合は、前記第２の物理周波数帯域でデジタル放送を受信している旨を前記表示部に表示するように制御する制御部と、
を具えることを特徴とするデジタル放送受信装置。
【請求項５】
請求項４に記載のデジタル放送受信装置において、
前記物理周波数帯域は、物理チャンネルである、
ことを特徴とするデジタル放送受信装置。
【請求項６】
請求項４に記載のデジタル放送受信装置において、
前記物理周波数は、ＯＦＤＭセグメントを示す情報である、
ことを特徴とするデジタル放送受信装置。
【請求項７】
同一のサービスを第１の物理周波数帯域と第２の物理周波数帯域とで放送すると共に、前記第２の物理周波数帯域では、前記サービスとは異なるサービスを放送しているデジタル放送システムのデジタル放送受信装置であって、
前記第２の物理周波数帯域内で放送している、前記第２の物理周波数帯域における物理周波数と前記サービスとの対応関係を示す周波数編成情報を受信するための情報を格納する記憶部と、
表示部と、
前記第１の物理周波数帯域で放送しているデジタル放送を受信している際に、該受信しているデジタル放送のサービスに相当する前記第２の物理周波数帯域のサービスに切り替える指示を検出すると、前記記憶部に格納されている情報に基づいて、前記周波数編成情報を放送しているデジタル放送を受信し、該受信したデジタル放送に含まれる該周波数編成情報から、該切り替える指示を検出したときに受信していたデジタル放送のサービスに相当するサービスを放送している物理周波数を検出し、該検出した物理周波数に基づくデジタル放送の受信を試行し、受信に成功した場合は、前記第２の物理周波数帯域でデジタル放送を受信している旨を前記表示部に表示するように制御する制御部と、
を具えることを特徴とするデジタル放送受信装置。
【請求項８】
請求項７に記載のデジタル放送受信装置において、
前記制御部が、
前記指示に基づいて、前記第１の物理周波数帯域で放送しているデジタル放送の表示から、前記第２の物理周波数帯域で放送しているデジタル放送の表示へ切り替えるように前記表示部を制御する、
ことを特徴とするデジタル放送受信装置。
【請求項９】
請求項７または８に記載のデジタル放送受信装置において、
前記物理周波数帯域は、物理チャンネルである、
ことを特徴とするデジタル放送受信装置。
【請求項１０】
請求項７または８に記載のデジタル放送受信装置において、
前記物理周波数は、ＯＦＤＭセグメントを示す情報である、
ことを特徴とするデジタル放送受信装置。
【請求項１１】
同一のサービスを第１の物理周波数帯域と第２の物理周波数帯域とで放送すると共に、前記第２の物理周波数帯域では、前記サービスとは異なるサービスを放送しているデジタル放送システムのデジタル放送受信装置であって、
前記第２の物理周波数帯域内で放送している、前記第２の物理周波数帯域における物理周波数と前記サービスとの対応関係を示す周波数編成情報を受信するための情報を格納する記憶部と、
デジタル放送を受信するたびに、該受信に対応する物理周波数帯域を示す情報と該物理周波数帯域で放送しているサービスを示す情報とを含むデータを記録する記録部と、
表示部と、
デジタル放送の受信を終了してから新たにデジタル放送の受信を開始する際に、前記記録部に記録されているデータが、前記第１の物理周波数帯域を示す情報を含んでいる場合は、該第１の物理周波数帯域を示す情報に基づいてデジタル放送を受信するように制御すると共に、前記記憶部に格納されている情報に基づいて、前記周波数編成情報を放送しているデジタル放送を受信し、該受信したデジタル放送に含まれる該周波数編成情報から、前記記録部に記録されているデータのサービスに相当するサービスを放送している物理周波数を検出し、該検出した物理周波数に基づくデジタル放送を受信した場合は、前記第２の物理周波数帯域でデジタル放送を受信することが可能である旨を前記表示部に表示するように制御する制御部と、
を具えることを特徴とするデジタル放送受信装置。
【請求項１２】
請求項１１に記載のデジタル放送受信装置において、
前記物理周波数帯域は、物理チャンネルである、
ことを特徴とするデジタル放送受信装置。
【請求項１３】
請求項１１に記載のデジタル放送受信装置において、
前記物理周波数は、ＯＦＤＭセグメントを示す情報である、
ことを特徴とするデジタル放送受信装置。
【請求項１４】
同一のサービスを第１の物理周波数帯域と第２の物理周波数帯域とで放送すると共に、前記第２の物理周波数帯域では、前記サービスとは異なるサービスを放送しているデジタル放送システムのデジタル放送受信装置であって、
前記第２の物理周波数帯域内で放送している、前記第２の物理周波数帯域における物理周波数と前記サービスとの対応関係を示す周波数編成情報を受信するための情報を格納する記憶部と、
表示部と、
前記第１の物理周波数帯域で放送しているデジタル放送を受信している際に、該受信しているデジタル放送のサービスに相当する前記第２の物理周波数帯域のサービスのサーチ指示を検出すると、前記記憶部に格納されている情報に基づいて、前記周波数編成情報を放送しているデジタル放送を受信し、該受信したデジタル放送に含まれる該周波数編成情報から、前記サーチ指示を検出したときに受信していたデジタル放送のサービスに相当するサービスを放送している物理周波数を検出し、該検出した物理周波数に基づくデジタル放送を受信した場合は、前記第２の物理周波数帯域でデジタル放送を受信することが可能である旨を前記表示部に表示するように制御する制御部と、
を具えることを特徴とするデジタル放送受信装置。
【請求項１５】
請求項１４に記載のデジタル放送受信装置において、
前記制御部が、
前記指示を検出しても、前記第１の物理周波数帯域で放送しているデジタル放送の表示を維持するように前記表示部を制御する、
ことを特徴とするデジタル放送受信装置。
【請求項１６】
請求項１４または１５に記載のデジタル放送受信装置において、
前記物理周波数帯域は、物理チャンネルである、
ことを特徴とするデジタル放送受信装置。
【請求項１７】
請求項１４または１５に記載のデジタル放送受信装置において、
前記物理周波数は、ＯＦＤＭセグメントを示す情報である、
ことを特徴とするデジタル放送受信装置。
【請求項１８】
第１の放送装置と、第２の放送装置とが同一のサービスを放送すると共に、前記第２の放送装置では、前記サービスとは異なるサービスを放送しているデジタル放送システムのデジタル放送受信装置であって、
前記第２の放送装置が放送している、前記第２の放送装置における物理周波数と前記サービスとの対応関係を示す周波数編成情報を受信するための情報を格納する記憶部と、
表示部と、
前記第１の放送装置が放送しているデジタル放送を受信している際に、当該デジタル放送の受信品質が劣化すると、前記記憶部に格納されている情報に基づいて、前記周波数編成情報を放送しているデジタル放送を受信し、該受信したデジタル放送に含まれる該周波数編成情報から、前記受信品質が劣化したデジタル放送のサービスに相当するサービスを放送している物理周波数を検出し、該検出した物理周波数に基づくデジタル放送の受信を試行し、受信に成功した場合は、前記第２の放送装置でデジタル放送を受信している旨を前記表示部に表示するように制御する制御部と、
を具えることを特徴とするデジタル放送受信装置。
【請求項１９】
請求項１８に記載のデジタル放送受信装置において、
前記物理周波数は、物理チャンネルである、
ことを特徴とするデジタル放送受信装置。
【請求項２０】
請求項１８に記載のデジタル放送受信装置において、
前記物理周波数は、ＯＦＤＭセグメントを示す情報である、
ことを特徴とするデジタル放送受信装置。
【請求項２１】
第１の放送装置と、第２の放送装置とが同一のサービスを放送すると共に、前記第２の放送装置では、前記サービスとは異なるサービスを放送しているデジタル放送システムのデジタル放送受信装置であって、
前記第２の放送装置が放送している、前記第２の放送装置における物理周波数と前記サービスとの対応関係を示す周波数編成情報を受信するための情報を格納する記憶部と、
デジタル放送を受信するたびに、該受信に対応する物理周波数を示す情報と該物理周波数で放送しているサービスを示す情報とを含むデータを記録する記録部と、
表示部と、
デジタル放送の受信を終了してから新たにデジタル放送の受信を開始する際に、前記記録部に記録されているデータが、前記第１の放送装置の物理周波数を示す情報を含んでいる場合は、該物理周波数を示す情報に基づいてデジタル放送を受信するように制御すると共に、該制御による受信において所定の受信品質が得られない場合は、前記記憶部に格納されている情報に基づいて、前記周波数編成情報を放送しているデジタル放送を受信し、該受信したデジタル放送に含まれる該周波数編成情報から、前記記録部に記録されているデータのサービスに相当するサービスを放送している物理周波数を検出し、該検出した物理周波数に基づくデジタル放送の受信を試行し、受信に成功した場合は、前記第２の放送装置でデジタル放送を受信している旨を前記表示部に表示するように制御する制御部と、
を具えることを特徴とするデジタル放送受信装置。
【請求項２２】
請求項２１に記載のデジタル放送受信装置において、
前記物理周波数は、物理チャンネルである、
ことを特徴とするデジタル放送受信装置。
【請求項２３】
請求項２１に記載のデジタル放送受信装置において、
前記物理周波数は、ＯＦＤＭセグメントを示す情報である、
ことを特徴とするデジタル放送受信装置。
【請求項２４】
第１の放送装置と、第２の放送装置とが同一のサービスを放送すると共に、前記第２の放送装置では、前記サービスとは異なるサービスを放送しているデジタル放送システムのデジタル放送受信装置であって、
前記第２の放送装置が放送している、前記第２の放送装置における物理周波数と前記サービスとの対応関係を示す周波数編成情報を受信するための情報を格納する記憶部と、
表示部と、
前記第１の放送装置が放送しているデジタル放送を受信している際に、該受信しているデジタル放送のサービスに相当する前記第２の放送装置が放送しているサービスに切り替える指示を検出すると、前記記憶部に格納されている情報に基づいて、前記周波数編成情報を放送しているデジタル放送を受信し、該受信したデジタル放送に含まれる該周波数編成情報から、該切り替える指示を検出したときに受信していたデジタル放送のサービスに相当するサービスを放送している物理周波数を検出し、該検出した物理周波数に基づくデジタル放送の受信を試行し、受信に成功した場合は、前記第２の放送装置でデジタル放送を受信している旨を前記表示部に表示するように制御する制御部と、
を具えることを特徴とするデジタル放送受信装置。
【請求項２５】
請求項２４に記載のデジタル放送受信装置において、
前記制御部が、
前記指示に基づいて、前記第１の放送装置のデジタル放送の表示から、前記第２の放送装置のデジタル放送の表示へ切り替えるように前記表示部を制御する、
ことを特徴とするデジタル放送受信装置。
【請求項２６】
請求項２４または２５に記載のデジタル放送受信装置において、
前記物理周波数は、物理チャンネルである、
ことを特徴とするデジタル放送受信装置。
【請求項２７】
請求項２４または２５に記載のデジタル放送受信装置において、
前記物理周波数は、ＯＦＤＭセグメントを示す情報である、
ことを特徴とするデジタル放送受信装置。
【請求項２８】
第１の放送装置と、第２の放送装置とが同一のサービスを放送すると共に、前記第２の放送装置では、前記サービスとは異なるサービスを放送しているデジタル放送システムのデジタル放送受信装置であって、
前記第２の放送装置が放送している、前記第２の放送装置における物理周波数と前記サービスとの対応関係を示す周波数編成情報を受信するための情報を格納する記憶部と、
デジタル放送を受信するたびに、該受信に対応する物理周波数を示す情報と該物理周波数で放送しているサービスを示す情報とを含むデータを記録する記録部と、
表示部と、
デジタル放送の受信を終了してから新たにデジタル放送の受信を開始する際に、前記記録部に記録されているデータが、前記第１の放送装置の物理周波数を示す情報を含んでいる場合は、該物理周波数を示す情報に基づいてデジタル放送を受信するように制御すると共に、前記記憶部に格納されている情報に基づいて、前記周波数編成情報を放送しているデジタル放送を受信し、該受信したデジタル放送に含まれる該周波数編成情報から、前記記録部に記録されているデータのサービスに相当するサービスを放送している物理周波数を検出し、該検出した物理周波数に基づくデジタル放送の受信を受信した場合は、前記第２の放送装置でデジタル放送を受信することが可能である旨を前記表示部に表示するように制御する制御部と、
を具えることを特徴とするデジタル放送受信装置。
【請求項２９】
請求項２８に記載のデジタル放送受信装置において、
前記物理周波数は、物理チャンネルである、
ことを特徴とするデジタル放送受信装置。
【請求項３０】
請求項２８に記載のデジタル放送受信装置において、
前記物理周波数は、ＯＦＤＭセグメントを示す情報である、
ことを特徴とするデジタル放送受信装置。
【請求項３１】
第１の放送装置と、第２の放送装置とが同一のサービスを放送すると共に、前記第２の放送装置では、前記サービスとは異なるサービスを放送しているデジタル放送システムのデジタル放送受信装置であって、
前記第２の放送装置が放送している、前記第２の放送装置における物理周波数と前記サービスとの対応関係を示す周波数編成情報を受信するための情報を格納する記憶部と、
表示部と、
前記第１の放送装置の物理周波数で放送しているデジタル放送を受信している際に、該受信しているデジタル放送のサービスに相当する前記第２の放送装置の物理周波数のサービスのサーチ指示を検出すると、前記記憶部に格納されている情報に基づいて、前記周波数編成情報を放送しているデジタル放送を受信し、該受信したデジタル放送に含まれる該周波数編成情報から、前記サーチ指示を検出したときに受信していたデジタル放送のサービスに相当するサービスを放送している物理周波数を検出し、該検出した物理周波数に基づくデジタル放送を受信した場合は、前記第２の放送装置でデジタル放送を受信することが可能である旨を前記表示部に表示するように制御する制御部と、
を具えることを特徴とするデジタル放送受信装置。
【請求項３２】
請求項３１に記載のデジタル放送受信装置において、
前記制御部が、
前記指示を検出しても、前記第１の放送装置のデジタル放送の表示を維持するように前記表示部を制御する、
ことを特徴とするデジタル放送受信装置。
【請求項３３】
請求項３１または３２に記載のデジタル放送受信装置において、
前記物理周波数は、物理チャンネルである、
ことを特徴とするデジタル放送受信装置。
【請求項３４】
請求項３１または３２に記載のデジタル放送受信装置において、
前記物理周波数は、ＯＦＤＭセグメントを示す情報である、
ことを特徴とするデジタル放送受信装置。
【発明の詳細な説明】
【技術分野】
【０００１】
本発明は、デジタルテレビジョン放送やデジタル音声放送などのデジタル放送システムのデジタル放送受信装置に関するものである。
【背景技術】
【０００２】
日本国において運用されている地上デジタルテレビジョン放送は、ＩＳＤＢ−Ｔ（Integrated Services Digital Broadcasting for Terrestrial）方式と呼ばれ、ＯＦＤＭ(Orthogonal Frequency Division Multiplexing)変調方式を採用している。このＩＳＤＢ−Ｔ方式は、一つのチャンネルの伝送帯域を１３個のセグメントに分割し、そのうちの１個のセグメント（中央のセグメント番号０）を、携帯電話機やＰＤＡ（Personal Digital Assistant）などの携帯端末用の地上デジタル放送、いわゆる１セグ放送に割り当てている。
【０００３】
上記のＩＳＤＢ−Ｔ方式を採用する放送装置として、最近では、例えば、複数の放送局のデジタル放送波を受信して、それぞれ１セグ放送を抜き出し、それらを連結して上記の放送局のチャンネルとは異なる所定のチャンネルで再送信するようにした放送装置が提案されている（例えば、特許文献１参照）。また、放送局のデジタル放送波から抜き出した１セグ放送に加えて、独自コンテンツの１セグ放送を連結して、所定のチャンネルで送信するように構成した放送装置も提案されている。
【０００４】
【特許文献１】特開２００６−１０９２８３号公報
【発明の開示】
【発明が解決しようとする課題】
【０００５】
上記の特許文献１に記載のように、所定のチャンネルの各セグメントを１セグ放送で構成して放送する場合には、放送地域が変わると、サービスのセグメント配置が変わることが考えられる。特に、上述したように、既存のサービスに独自コンテンツを追加して放送する場合には、放送地域が変わると、独自コンテンツやそのセグメント配置が変わる可能性が高くなる。
【０００６】
このため、当該チャンネルにおけるサービスのセグメント配置をユーザが把握して、所望の１セグ放送を部分受信するには、当該チャンネルの放送局のウェブサイトにアクセスして、サービスのセグメント配置情報を取得したり、電子メールを経由して通知してもらったり、或いは、当該チャンネルのセグメントをスキャンして、サービスのセグメント配置を把握したりする必要がある。また、仮に、放送中のセグメントの配置を把握できたとしても、どのセグメントでどのようなサービス（番組）が放送されているかを把握することができないという問題がある。
【０００７】
しかしながら、放送局のウェブサイトからサービスのセグメント配置情報を取得するには、取得毎に放送局のウェブサイトにアクセスする必要があるため、取得に時間がかかるとともに、通信費がかかることが懸念される。また、チャンネル内のセグメントをスキャンしてサービスのセグメント配置情報を把握する場合には、全てのサービスのセグメント配置情報を把握するのに、時間がかかることが懸念される。
【０００８】
また、上記具術に限らず、所定のチャンネルにおいて、独自コンテンツの１セグ放送のみを連結して放送することも考えられる。しかし、この場合においても、当該チャンネルにおけるサービスのセグメント配置を把握するには、上述した場合と同様に、当該チャンネルの放送局のウェブサイトにアクセスしたり、当該チャンネルのセグメントをスキャンしたりする必要があるため、同様の問題が生じることになる。
【０００９】
また、ＩＳＤＢ−Ｔｓｂ（ISDB for Terrestrial Sound Broadcasting）を採用する地上デジタル音声放送においても、放送地域に応じて、サービスのセグメント配置を変更したり、独自コンテンツを追加したりすることが考えられるが、これらの場合にも、同様の問題が生じることになる。
【００１０】
即ち、従来のデジタル放送技術は、或る広域のエリアでは、個々のサービスが、個々の特定の物理周波数でそれぞれ放送されることを前提とし、特定の広域エリア内では、周波数配置が変更されないものである。しかしながら、上述した従来技術のように、ある広域エリア内であっても、特定の物理周波数で放送されていたサービスを、全く別の周波数に、別のセグメントレイアウトに再配置して放送する、或いは、全く独自のサービス（番組）を放送するデジタル放送装置が提案されている。このようなデジタル放送装置は、小規模、かつ、電波法に許認可が不要であるものが多数となり、サービスのコンテンツ、周波数配置などが頻繁かつ動的に変更されることが予想される。従って、従来のように予め特定の物理周波数に特定のサービス（チャンネル）を割り当てて管理することは困難かつ適当ではない。このような多種・多様なデジタル放送の受信エリアを、デジタル放送受信装置を携行するユーザが移動することになるが、上述したように、ユーザに既知の特定の物理周波数で放送している「従来の一般的な放送装置」のサービスと、ユーザには未知の周波数配置で放送している、「特許文献１が提案する放送装置」のサービスとの間をシームレスに移動する技術があれば、ユーザの利便性が格段に向上すると予想されるが、このような技術は開発されていない。また、全く独自のサービスを放送している通信エリアにユーザが移動しても、その放送におけるサービス情報（周波数配置など）を知ることができない。さらに、シームレスに「移動先の放送装置で独自のサービスを放送していたとしても、シームレスにサービスを移動しているのでその事実を知ることができない。
【００１１】
従って、かかる事情に鑑みてなされた本発明の目的は、放送局のウェブサイトへのアクセスや、チャンネルスキャンやセグメントスキャンなどの無駄な処理や、通信費を要することなく、受信装置において、「従来の一般的な放送装置」のサービスに相当する、或いは、異なる「ユーザには未知の周波数配置で放送している放送装置」のサービスの存在をユーザに通知することができるデジタル放送受信装置を提供することである。
【課題を解決するための手段】
【００１２】
上述した諸課題を解決すべく、本発明によるデジタル放送受信装置は、
同一のサービスを第１の物理周波数帯域と第２の物理周波数帯域とで放送すると共に、前記第２の物理周波数帯域では、前記サービスとは異なるサービスを放送しているデジタル放送システムのデジタル放送受信装置であって、
前記第２の物理周波数帯域内で放送している、前記第２の物理周波数帯域における物理周波数と前記サービスとの対応関係を示す周波数編成情報を受信するための情報を格納する記憶部と、
表示部と、
前記第１の物理周波数帯域で放送しているデジタル放送を受信している際に、当該デジタル放送の受信品質が劣化すると、前記記憶部に格納されている情報に基づいて、前記周波数編成情報を放送しているデジタル放送を受信し、該受信したデジタル放送に含まれる該周波数編成情報から、前記受信品質が劣化したデジタル放送のサービスに相当するサービスを放送している物理周波数を検出し、該検出した物理周波数に基づくデジタル放送の受信を試行し、受信に成功した場合は、前記第２の物理周波数帯域でデジタル放送を受信している旨を前記表示部に表示するように制御する制御部と、
を具えることを特徴とする。
【００１３】
また、本発明の一実施態様によるデジタル放送受信装置は、
同一のサービスを第１の物理周波数帯域と第２の物理周波数帯域とで放送すると共に、前記第２の物理周波数帯域では、前記サービスとは異なるサービスを放送しているデジタル放送システムのデジタル放送受信装置であって、
前記第２の物理周波数帯域内で放送している、前記第２の物理周波数帯域における物理周波数と前記サービスとの対応関係を示す周波数編成情報を受信するための情報を格納する記憶部と、
表示部と、
デジタル放送の受信を終了してから新たにデジタル放送の受信を開始する際に、前記記録部に記録されているデータが、前記第１の物理周波数帯域を示す情報を含んでいる場合は、該第１の物理周波数帯域を示す情報に基づいてデジタル放送を受信するように制御すると共に、該制御による受信において所定の受信品質が得られない場合は、前記記憶部に格納されている情報に基づいて、前記周波数編成情報を放送しているデジタル放送を受信し、該受信したデジタル放送に含まれる該周波数編成情報から、前記記録部に記録されているデータのサービスに相当するサービスを放送している物理周波数を検出し、該検出した物理周波数に基づくデジタル放送の受信を試行し、受信に成功した場合は、前記第２の物理周波数帯域でデジタル放送を受信している旨を前記表示部に表示するように制御する制御部と、
を具えることを特徴とするデジタル放送受信装置。
【００１４】
また、本発明の別の実施態様によるデジタル放送受信装置は、
同一のサービスを第１の物理周波数帯域と第２の物理周波数帯域とで放送すると共に、前記第２の物理周波数帯域では、前記サービスとは異なるサービスを放送しているデジタル放送システムのデジタル放送受信装置であって、
前記第２の物理周波数帯域内で放送している、前記第２の物理周波数帯域における物理周波数と前記サービスとの対応関係を示す周波数編成情報を受信するための情報を格納する記憶部と、
表示部と、
前記第１の物理周波数帯域で放送しているデジタル放送を受信している際に、該受信しているデジタル放送のサービスに相当する前記第２の物理周波数帯域のサービスに切り替える指示を検出すると、前記記憶部に格納されている情報に基づいて、前記周波数編成情報を放送しているデジタル放送を受信し、該受信したデジタル放送に含まれる該周波数編成情報から、該切り替える指示を検出したときに受信していたデジタル放送のサービスに相当するサービスを放送している物理周波数を検出し、該検出した物理周波数に基づくデジタル放送の受信を試行し、受信に成功した場合は、前記第２の物理周波数帯域でデジタル放送を受信している旨を前記表示部に表示するように制御する制御部と、
を具えることを特徴とする。
ことを特徴とする。
【００１５】
また、本発明のさらに別の実施態様によるデジタル放送受信装置は、
前記制御部が、
前記指示に基づいて、前記第１の物理周波数帯域で放送しているデジタル放送の表示から、前記第２の物理周波数帯域で放送しているデジタル放送の表示へ切り替えるように前記表示部を制御する、
ことを特徴とする。
【００１６】
また、本発明のさらなる実施態様によるデジタル放送受信装置は、
同一のサービスを第１の物理周波数帯域と第２の物理周波数帯域とで放送すると共に、前記第２の物理周波数帯域では、前記サービスとは異なるサービスを放送しているデジタル放送システムのデジタル放送受信装置であって、
前記第２の物理周波数帯域内で放送している、前記第２の物理周波数帯域における物理周波数と前記サービスとの対応関係を示す周波数編成情報を受信するための情報を格納する記憶部と、
デジタル放送を受信するたびに、該受信に対応する物理周波数帯域を示す情報と該物理周波数帯域で放送しているサービスを示す情報とを含むデータを記録する記録部と、
表示部と、
デジタル放送の受信を終了してから新たにデジタル放送の受信を開始する際に、前記記録部に記録されているデータが、前記第１の物理周波数帯域を示す情報を含んでいる場合は、該第１の物理周波数帯域を示す情報に基づいてデジタル放送を受信するように制御すると共に、前記記憶部に格納されている情報に基づいて、前記周波数編成情報を放送しているデジタル放送を受信し、該受信したデジタル放送に含まれる該周波数編成情報から、前記記録部に記録されているデータのサービスに相当するサービスを放送している物理周波数を検出し、該検出した物理周波数に基づくデジタル放送を受信した場合は、前記第２の物理周波数帯域でデジタル放送を受信することが可能である旨を前記表示部に表示するように制御する制御部と、
を具えることを特徴とする。
【００１７】
また、本発明のさらなる実施態様によるデジタル放送受信装置は、
同一のサービスを第１の物理周波数帯域と第２の物理周波数帯域とで放送すると共に、前記第２の物理周波数帯域では、前記サービスとは異なるサービスを放送しているデジタル放送システムのデジタル放送受信装置であって、
前記第２の物理周波数帯域内で放送している、前記第２の物理周波数帯域における物理周波数と前記サービスとの対応関係を示す周波数編成情報を受信するための情報を格納する記憶部と、
表示部と、
前記第１の物理周波数帯域で放送しているデジタル放送を受信している際に、該受信しているデジタル放送のサービスに相当する前記第２の物理周波数帯域のサービスのサーチ指示を検出すると、前記記憶部に格納されている情報にに基づいて、前記周波数編成情報を放送しているデジタル放送を受信し、該受信したデジタル放送に含まれる該周波数編成情報から、前記サーチ指示を検出したときに受信していたデジタル放送のサービスに相当するサービスを放送している物理周波数を検出し、該検出した物理周波数に基づくデジタル放送を受信した場合は、前記第２の物理周波数帯域でデジタル放送を受信することが可能である旨を前記表示部に表示するように制御する制御部と、
を具えることを特徴とする。
【００１８】
また、本発明のさらなる実施態様によるデジタル放送受信装置は、
前記制御部が、
前記指示を検出しても、前記第１の物理周波数帯域で放送しているデジタル放送の表示を維持するように前記表示部を制御する、
ことを特徴とする。
【００１９】
また、前記物理周波数帯域は、物理チャンネルとすることが好適である。或いは、前記物理周波数は、ＯＦＤＭセグメントを示す情報とすることが好適である。
【００２０】
また、本発明のさらなる実施態様によるデジタル放送受信装置は、
第１の放送装置と、第２の放送装置とが同一のサービスを放送すると共に、前記第２の放送装置では、前記サービスとは異なるサービスを放送しているデジタル放送システムのデジタル放送受信装置であって、
前記第２の放送装置が放送している、前記第２の放送装置における物理周波数と前記サービスとの対応関係を示す周波数編成情報を受信するための情報を格納する記憶部と、
表示部と、
前記第１の放送装置が放送しているデジタル放送を受信している際に、当該デジタル放送の受信品質が劣化すると、前記記憶部に格納されている情報に基づいて、前記周波数編成情報を放送しているデジタル放送を受信し、該受信したデジタル放送に含まれる該周波数編成情報から、前記受信品質が劣化したデジタル放送のサービスに相当するサービスを放送している物理周波数を検出し、該検出した物理周波数に基づくデジタル放送の受信を試行し、受信に成功した場合は、前記第２の放送装置でデジタル放送を受信している旨を前記表示部に表示するように制御する制御部と、
を具えることを特徴とする。
【００２１】
また、本発明のさらなる実施態様によるデジタル放送受信装置は、
第１の放送装置と、第２の放送装置とが同一のサービスを放送すると共に、前記第２の放送装置では、前記サービスとは異なるサービスを放送しているデジタル放送システムのデジタル放送受信装置であって、
前記第２の放送装置が放送している、前記第２の放送装置における物理周波数と前記サービスとの対応関係を示す周波数編成情報を受信するための情報を格納する記憶部と、
デジタル放送を受信するたびに、該受信に対応する物理周波数を示す情報と該物理周波数で放送しているサービスを示す情報とを含むデータを記録する記録部と、
表示部と、
デジタル放送の受信を終了してから新たにデジタル放送の受信を開始する際に、前記記録部に記録されているデータが、前記第１の放送装置の物理周波数を示す情報を含んでいる場合は、該物理周波数を示す情報に基づいてデジタル放送を受信するように制御すると共に、該制御による受信において所定の受信品質が得られない場合は、前記記憶部に格納されている情報に基づいて、前記周波数編成情報を放送しているデジタル放送を受信し、該受信したデジタル放送に含まれる該周波数編成情報から、前記記録部に記録されているデータのサービスに相当するサービスを放送している物理周波数を検出し、該検出した物理周波数に基づくデジタル放送の受信を試行し、受信に成功した場合は、前記第２の放送装置でデジタル放送を受信している旨を前記表示部に表示するように制御する制御部と、
を具えることを特徴とする。
【００２２】
また、本発明のさらなる実施態様によるデジタル放送受信装置は、
第１の放送装置と、第２の放送装置とが同一のサービスを放送すると共に、前記第２の放送装置では、前記サービスとは異なるサービスを放送しているデジタル放送システムのデジタル放送受信装置であって、
前記第２の放送装置が放送している、前記第２の放送装置における物理周波数と前記サービスとの対応関係を示す周波数編成情報を受信するための情報を格納する記憶部と、
表示部と、
前記第１の放送装置が放送しているデジタル放送を受信している際に、該受信しているデジタル放送のサービスに相当する前記第２の放送装置が放送しているサービスに切り替える指示を検出すると、前記記憶部に格納されている情報に基づいて、前記周波数編成情報を放送しているデジタル放送を受信し、該受信したデジタル放送に含まれる該周波数編成情報から、該切り替える指示を検出したときに受信していたデジタル放送のサービスに相当するサービスを放送している物理周波数を検出し、該検出した物理周波数に基づくデジタル放送の受信を試行し、受信に成功した場合は、前記第２の放送装置でデジタル放送を受信している旨を前記表示部に表示するように制御する制御部と、
を具えることを特徴とする。
【００２３】
また、本発明のさらなる実施態様によるデジタル放送受信装置は、
前記制御部が、
前記指示に基づいて、前記第１の放送装置のデジタル放送の表示から、前記第２の放送装置のデジタル放送の表示へ切り替えるように前記表示部を制御する、
ことを特徴とする。
【００２４】
また、本発明のさらなる実施態様によるデジタル放送受信装置は、
第１の放送装置と、第２の放送装置とが同一のサービスを放送すると共に、前記第２の放送装置では、前記サービスとは異なるサービスを放送しているデジタル放送システムのデジタル放送受信装置であって、
前記第２の放送装置が放送している、前記第２の放送装置における物理周波数と前記サービスとの対応関係を示す周波数編成情報を受信するための情報を格納する記憶部と、
デジタル放送を受信するたびに、該受信に対応する物理周波数を示す情報と該物理周波数で放送しているサービスを示す情報とを含むデータを記録する記録部と、
表示部と、
デジタル放送の受信を終了してから新たにデジタル放送の受信を開始する際に、前記記録部に記録されているデータが、前記第１の放送装置の物理周波数を示す情報を含んでいる場合は、該物理周波数を示す情報に基づいてデジタル放送を受信するように制御すると共に、前記記憶部に格納されている情報に基づいて、前記周波数編成情報を放送しているデジタル放送を受信し、該受信したデジタル放送に含まれる該周波数編成情報から、前記記録部に記録されているデータのサービスに相当するサービスを放送している物理周波数を検出し、該検出した物理周波数に基づくデジタル放送の受信を受信した場合は、前記第２の放送装置でデジタル放送を受信することが可能である旨を前記表示部に表示するように制御する制御部と、
を具えることを特徴とする。
【００２５】
また、本発明のさらなる実施態様によるデジタル放送受信装置は、
第１の放送装置と、第２の放送装置とが同一のサービスを放送すると共に、前記第２の放送装置では、前記サービスとは異なるサービスを放送しているデジタル放送システムのデジタル放送受信装置であって、
前記第２の放送装置が放送している、前記第２の放送装置における物理周波数と前記サービスとの対応関係を示す周波数編成情報を受信するための情報を格納する記憶部と、
表示部と、
前記第１の放送装置の物理周波数で放送しているデジタル放送を受信している際に、該受信しているデジタル放送のサービスに相当する前記第２の放送装置の物理周波数のサービスのサーチ指示を検出すると、前記記憶部に格納されている情報に基づいて、前記周波数編成情報を放送しているデジタル放送を受信し、該受信したデジタル放送に含まれる該周波数編成情報から、前記サーチ指示を検出したときに受信していたデジタル放送のサービスに相当するサービスを放送している物理周波数を検出し、該検出した物理周波数に基づくデジタル放送を受信した場合は、前記第２の放送装置でデジタル放送を受信することが可能である旨を前記表示部に表示するように制御する制御部と、
を具えることを特徴とする。
【００２６】
また、本発明のさらなる実施態様によるデジタル放送受信装置は、
前記制御部が、
前記指示を検出しても、前記第１の放送装置のデジタル放送の表示を維持するように前記表示部を制御する、
ことを特徴とする。
【００２７】
また、前記物理周波数は、物理チャンネルとすることが好適である。或いは、前記物理周波数は、ＯＦＤＭセグメントを示す情報とすることが好適である。
【００２８】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００２９】
一例を挙げれば、本発明を方法として実現させた、別の実施態様によるデジタル放送受信装置の制御方法は、
同一のサービスを第１の物理周波数帯域と第２の物理周波数帯域とで放送すると共に、前記第２の物理周波数帯域では、前記サービスとは異なるサービスを放送しているデジタル放送システムのデジタル放送受信装置の制御方法であって、
前記第２の物理周波数帯域内で放送している、前記第２の物理周波数帯域における物理周波数と前記サービスとの対応関係を示す周波数編成情報を受信するための情報を記憶部に格納するステップと、
前記第１の物理周波数帯域で放送しているデジタル放送を受信している際に、当該デジタル放送の受信品質が劣化すると、前記記憶部に格納されている情報に基づいて、前記周波数編成情報を放送しているデジタル放送を受信し、該受信したデジタル放送に含まれる該周波数編成情報から、前記受信品質が劣化したデジタル放送のサービスに相当するサービスを放送している物理周波数を検出し、該検出した物理周波数に基づくデジタル放送の受信を試行し、受信に成功した場合は、前記第２の物理周波数帯域でデジタル放送を受信している旨を前記表示部に表示するように制御するステップと、
を有することを特徴とする。
【発明の効果】
【００３０】
本発明によれば、物理周波数とサービスとの対応関係を示す周波数編成情報を利用することによって、放送局のウェブサイトへのアクセスや、チャンネル内のセグメントスキャンなどの無駄な処理や、通信費を要することなく、受信装置において、ユーザに既知の特定の物理周波数で放送している「従来の一般的な放送装置」のサービスとは異なる「ユーザには未知の周波数配置で放送している放送装置」のサービスの存在をユーザに通知することができるようになり、ユーザの利便性が格段に向上する。
【発明を実施するための最良の形態】
【００３１】
以降、諸図面を参照しながら、本発明の実施態様を詳細に説明する。最初に本実施例に用いる用語を説明する。但し、これに限定するものではない。実施例における「ガイドチャンネル(ｃｈ)」とは、連結送信された全ての番組に関する物理周波数（セグメント）とサービスとの対応関係を示す周波数編成情報を放送するためのチャンネルと定義する。また、デジタル放送受信装置は、最初にＮＩＴ(Network Interface Table)を参照するためにセグメント番号０を受信するため、ガイドｃｈは、セグメント番号０に配置することが好適である。また、「独自放送（サービス）（独自番組／自主番組）」とは、既存の放送局以外で作成されたサービス（番組）のことである。例えば、商店街や遊園地、美術館など限られたエリアや施設の情報を提供するサービス（番組）である。
【００３２】
図１は、本発明が適用される受信装置およびこれに放送波を提供する放送装置から構成されるデジタル放送システムの構成図である。図に示すように、このデジタル放送システムは、受信装置１００、および放送装置２００，３００から構成される。放送装置２００は、一般的なデジタル放送システムの放送装置であり、１セグメント放送、即ち、１セグメント単独で受信可能である部分受信用のセグメントを使用したデジタル放送、および１２セグメントを使用した地上波テレビ用のデジタル放送を行っている。本デジタル放送システムでは、放送装置２００と放送装置３００とが、同一のサービスを放送しているが、放送装置２００が使用している物理周波数帯域と、放送装置３００が使用している物理周波数帯域とは異なるものである。即ち、放送装置２００から放送されるサービスの全て或いは一部が、放送装置３００から、放送装置２００が使用する物理周波数帯域とは別の物理周波数帯域を用いて放送される。また、放送装置３００は、放送装置２００が放送するサービスとは異なるサービス、例えば、独自放送（独自番組／自主番組）も放送している。本発明による受信装置１００は、放送装置２００がカバーする受信エリア内では、放送装置２００から放送されるデジタル放送を受信することが可能である。受信装置１００が、例えば、地下街などに入った場合に、放送装置２００からのデジタル放送が弱電界や圏外になり、受信継続が困難になる。逆に、地下街から地上に出て、放送装置３００からのデジタル放送が弱電界や圏外になり、受信継続が困難になる場合も発生する。このような場合は、受信装置１００は、放送装置２００のデジタル放送の受信と、放送装置３００のデジタル放送の受信とをガイドチャンネル（後で詳細に説明する）を介してシームレスに切り替える。
【００３３】
図２は、放送装置３００のブロック図である。図に示すように、放送装置３００は、光ファイバから入力されるチャンネルの数に対応する数の受信部、即ち、ｃｈＡ受信部３１０Ａ、ｃｈＢ受信部３１０Ｂ、ｃｈＺ受信部３１０Ｚを具える。放送装置３００は、多重化処理部３２０、変調部３３０、送信部３４０、ガイドｃｈ作成部３５０、およびアンテナ３６０をさらに具える。ｃｈＡ受信部３１０Ａ、ｃｈＢ受信部３１０Ｂ、ｃｈＺ受信部３１０Ｚは、ＴＳ信号受信部３１２Ａ，３１２Ｂ，３１２Ｚ、サービス情報抽出部３１４Ａ，３１４Ｂ，３１４Ｚをそれぞれ具える。
【００３４】
ｃｈＡ受信部３１０Ａ、３１０Ｂは、本実施の形態では、既存の物理チャンネルの放送局に対応している。ここでは、便宜上、例えば、ｃｈＡ受信部３１０Ａは、物理チャンネルｃｈＡのＡＡＡテレビに対応し、ｃｈＢ受信部３１０Ｂは、物理チャンネルｃｈＢのＢＢＢテレビに対応するものとする。ｃｈＡ受信部３１０ＡのＴＳ信号受信部３１２Ａは、対応する放送局のコンテンツ記憶装置などから光ファイバなどの伝送手段を介して伝送されてくるｃｈＡ ＴＳ信号を受信し、サービス情報抽出部３１４ＡでＴＳ信号に含まれるサービス情報を抽出する。ｃｈＢ受信部３１０Ｂも、ｃｈＢ ＴＳ信号に対して同様の処理をそれぞれ行う。また、ｃｈＺ受信部３１０Ｚは、放送装置３００の独自放送（サービス）に対応している。ｃｈＺ受信部３１０ＺのＴＳ信号受信部３１２Ｚは、対応するコンテンツ記憶装置などから光ファイバなどの伝送手段を介して伝送されてくるｃｈＺ ＴＳ信号を受信し、サービス情報抽出部３１４ＺでＴＳ信号に含まれるサービス情報を抽出する。サービス情報抽出部３１４Ａ，３１４Ｂ，３１４Ｚは、ＴＳ信号受信部３１０Ａ，３１０Ｂ，３１０Ｚから供給されるＴＳ信号からサービス情報を抽出し、その抽出したサービス情報をガイドｃｈ作成部３５０へ供給する。
【００３５】
ガイドｃｈ作成部３５０は、サービス情報抽出部３１４Ａ，３１４Ｂ，３１４Ｚから供給されたサービス情報（例えば、ＰＳＩ／ＳＩ情報中のＳＤＴ：Service Description Table）に基づいて、例えば、図６に示すようなセグメント番号とサービス名（放送局）とを関連付けた周波数編成情報であるＢＭＬからなる１セグ放送用のデータ放送、即ち、ガイドｃｈ用のＴＳ信号を作成する。ここで、セグメント番号とサービス名の関連付けは、セグメント番号０をガイドｃｈに割り当て、残りのセグメント番号１〜１２については、各受信部で受信するＴＳ信号の数（放送局）に応じて、固定的に、或いは予め定めたプログラムに従って、放送局名を割り当てる。
【００３６】
多重化処理部３２０は、各チャンネルの部分受信用のＴＳ信号とガイドｃｈのＴＳ信号を、あらかじめ設定されたセグメント配置に基づき多重化する。このときデジタル放送の信号に適合するように制御信号などを追加する。変調部３３０は、多重化された信号をＯＦＤＭ信号に変換し送信部３４０に送る。送信部３４０は、ＯＦＤＭ信号を設定された値まで増幅しアンテナ３６０から出力する。
【００３７】
図３は、放送装置３００が送信するチャンネルのセグメント構成を示す図である。通常の放送局である放送装置３００は、図の上段に示すように、物理チャンネル毎の中央のセグメント番号０を部分受信用のセグメントである１セグ放送に使用している。放送装置３００は、部分受信用のセグメント番号０の各サービスを１つの物理チャンネル内で連結放送する。また、放送装置３００は、独自番組を部分受信用のセグメントとして未使用のセグメント（例えば図３のセグメント番号１０）に配置することもできる。ガイドｃｈである中央のセグメント番号０には、これら各サービスへリンクするための情報（例えば図６のようなＢＭＬ）を格納する。図３の下段のセグメント７が未使用であるように、各サービス（チャンネル）は完全に隙間なく連結しなくてもよく、このような形式も便宜上、連結放送と呼ぶものとする。
【００３８】
ここで、セグメント番号０に割り当てられるガイドｃｈのデータ放送は、１セグ受信装置において、当該物理チャンネルに関連付けられている既存放送局の物理チャンネルまたはリモコンチャンネル（チャンネル番号）を表示する役割と、ユーザによる選局時にチューニングするセグメント（周波数）をチューナ部に通知する役割とを有している。このために、このデータ放送には、ガイドｃｈが含む各サービスである既存放送局および独自放送の全ての物理チャンネル（本例では、ガイドｃｈと同じ物理チャンネル内のセグメンド番号）へのリンクを張り、受信装置において、ユーザが希望するチャンネルへのリンクを選択することによって、ガイドｃｈが割り当てた物理チャンネル内で、選局を行うことができるようになっている。
【００３９】
図４は、本発明の一実施態様による受信装置のブロック図である。図に示すように、受信装置１００は、制御部１１０、チューナ部１２０、復調部１３０、音声デコーダ部１４０、映像デコーダ部１５０、データ放送デコーダ部１６０、画面制御部１７０、メモリ１８０、記録部１８５、および入力部１９０を具える。また、受信装置１００は、アンテナＡＮＴ、システムバスＳＢ、スピーカＳＰ、および画面表示部ＤＩＳをさらに具える。
【００４０】
受信装置１００における放送装置３００が放送するデジタル放送の表示までの動作を簡単に説明する。ユーザが携行する受信装置１００は、放送装置３００から送信される放送波を受信できるエリアにいるものとする。
１．ユーザは放送装置３００から送信される信号に選局する。ここで、放送装置から送信される周波数（チャンネル）は既知とする。
２．選局が完了するとガイドｃｈが表示されるので、ユーザはデータ放送を表示して希望の番組を選択する。
３．制御部１１０においてセグメント番号から周波数に変換し、その周波数をチューナ部１２０に通知する。
４．チューナ部１２０において指定された周波数にチューニングする。
【００４１】
受信装置１００の各部の機能を詳細に説明する。受信装置１００は、デジタル放送の信号をアンテナＡＮＴで受信し、受信したＲＦ信号は、装置全体の制御を司る制御部１１０からの周波数（チャンネル）指定命令に基づいてチューナ部１２０でチューニングされる。チューナ部１２０で周波数変換されたチャンネル信号は復調部１３０でＭＰＥＧのＴＳ(Transport Stream)信号に復調し、ＴＳ信号内のパケットＩＤに基づいて音声パケット、映像パケット、データ放送パケットを検出し、それぞれのパケットを音声デコーダ部１４０、映像デコーダ部１５０、データ放送デコーダ部１６０に出力する。音声デコーダ部１４０は、音声データをデコードし、スピーカＳＰに出力する。映像デコーダ部１５０は映像データをデコードし画面制御部１７０に出力する。データ放送デコーダ部１６０は受信したＢＭＬを元に画面イメージを作成し画面制御部１７０に出力する。ユーザが入力部１９０を用いて、所望のサービス（番組）をクリックして選択すると、制御部１１０は、ＢＭＬから当該サービスを放送しているセグメント番号を割り出し、当該セグメント番号の周波数にチューニングするようにチューナ部１２０を制御する。また、データ放送デコーダ部１６０は、受信したＢＭＬから番組表を取り出し、メモリ１８０に格納する。メモリ１８０は、チャンネルリストやガイドチャンネルを受信するための情報（物理チャンネルや物理チャンネルとセグメントとのセットなど）、ＢＭＬやこれから取り出した、或いは作成した番組表、デジタル放送の受信品質の劣化を検出するための閾値を格納する。記録部１８５は、ラストチャンネル（最後の受信チャンネル）を格納する。なお、メモリ１８０は、記録部１８５の１つの記憶領域としてもよい。画面制御部１７０は、映像デコーダ部１５０、および、データ放送デコーダ部１６０から出力されたデータを制御部１１０からの命令に基づいて画面表示部ＤＩＳに出力する。ここで、番組表は、サービスＩＤやネットワークＩＤ（放送局名）と、これに関連付けられた物理周波数（この例では、セグメント番号、或いは、物理チャンネルとセグメント番号のセットである）とを含む。制御部１１０は、他の構成部と協働して、デジタル放送の受信品質を検出する。また、画面表示部ＤＩＳは、受信した放送を表示したり、独自放送のある周波数帯を受信できること／受信していること、独自放送を放送する放送装置の放送を受信できること／受信ししていることを表示する。
【００４２】
図５は、ガイドｃｈで放送しているデータ放送を表示した画面イメージを示す図である。図６は、図５の表示を行い、各チャンネルへの切り替え動作を行うためにガイドｃｈで使用されるＢＭＬ(Broadcast Markup Language)のソースコードの一例を示す図である。図５、６に示すように、ガイドｃｈで放送するデータ放送には連結、或いは関連付けられている全てのチャンネルへのリンクが張られており、ユーザは希望のチャンネルのリンクを選択することで、選局を行うことが出来る。例えば、図５の「ＡＡＡテレビ」を選択すると、図６のＢＭＬに従って、選局のために新規に導入したonTune()という関数をコールし、この関数の中で、ｉｄの値に応じて選局する。ＡＡＡテレビの場合、ｉｄには「ｃｈＡ」が入り、browser.tune("11")でセグメント１１に選局する。連結したチャンネルのＰＳＩ／ＳＩ（Program Specific Information/Service Information）情報をデータ放送に入れておき、受信機側でその値を取り出すようにしてもよい。
【００４３】
図７に、ガイドｃｈのデータ放送のデータに含まれるセグメントと番組名を関連付けた対応表を示す。図に示すように、ガイドｃｈのデータ放送に格納されているデータ（データ放送）には、少なくともセグメント（の周波数）とサービスの対応表（表１）が入っている必要がある。この対応表は、連結しているチャンネルを図５のような画面で画面表示部ＤＩＳに表示する役割と、選局時にチューニングするセグメントをチューナ部１２０に通知する役割がある。
【００４４】
図８は、テレビ起動後に放送装置３００の放送しかない場合の受信装置１００の動作フロー（パターン１）を示すフローチャートである。ここでは、受信装置１００を携行するユーザが、図１のような通常の放送装置２００のデジタル放送を受信できるエリアではなく、放送装置３００からの放送を受信できるエリアに位置するケースを想定する。図１４の（ａ）にこのパターン１における画面遷移図を示す。図８に示すように、ステップＳ１０１にて、ユーザは、入力部１９０を用いてテレビ機能を起動する。この起動を受けて、制御部１１０は、チューナ部１２０が、ラストチャンネルとして登録されている放送装置２００のチャンネルＡを選局するように制御する。これを受けたチューナ部１２０は、チャンネルＡにチューニングする（ステップＳ１０２）。次に、ステップＳ１０３にて、チャンネルＡが存在する、即ち、受信できるか否かを電界強度などを用いて判定する。チャンネルＡが存在する場合は、チャンネルＡを表示する（ステップＳ１０４）。チャンネルＡが存在しない、即ち、受信できない場合は、ステップＳ１０６に進み、放送装置３００のガイドｃｈを選局する（Ｓ１０６）。また、ステップＳ１０４の後、チャンネルＡ受信中において、受信品質（例えば、受信感度や受信画像品質など）が任意の閾値Ｎ以下になった場合（ステップＳ１０５）、ステップＳ１０６に進み、放送装置３００のガイドｃｈを選局する。
【００４５】
この選局を受けてチューナ部１２０はガイドｃｈにチューニングし、ガイドｃｈが存在する、即ち、受信できるか否かを電界強度などを用いて判定する（ステップＳ１０７）。ガイドｃｈが存在する、即ち、受信できる場合は、ガイドｃｈから番組表を取得する（ステップＳ１０８）。この取得した番組表から、チャンネルＡに対応するチャンネル、即ち、チャンネルＡと同じサービスＩＤを持つ放送装置３００のチャンネルＰ（この例では、ある物理チャンネル内の特定の位置のセグメント番号となる。）を選局し（ステップＳ１０９）、チャンネルＰを表示する（ステップＳ１１０）。また、チャンネルＰを受信・表示しているときは、これをユーザに通知する放送装置３００の放送を示すマークを表示する。放送装置３００の放送を示すマークの表示には、放送装置３００の放送（連結放送の物理周波数帯）が受信可能である旨のみを示す、非強調表示と、放送装置３００が受信可能であり、かつ、画面に放送装置３００の放送を表示している旨を示す強調表示があり、ステップＳ１１１では、放送装置３００の放送を示すマークを点灯（輝度増大）することによって、強調表示させてある。ステップＳ１０７においてガイドｃｈが受信できなければ、ステップＳ１１２に進み、「受信できません」と受信できない旨（メッセージ）を表示して、処理を終える。なお、ガイドｃｈの選局は１回しか行っていないが複数回行っても良い。
【００４６】
図１４の（ａ）に示すように、パターン１の場合は、「待受画面」から、「選局中」、「番組（視聴中）」に画面が次第に遷移してゆき、ユーザの操作を介することなく、スムーズに放送装置３００の放送に移行することができる。また、画面には、放送装置３００の放送を示すマークＭＫ１を表示・点滅するため、ユーザは、自分が視聴している放送が、放送装置２００の通常の放送とは異なる「放送装置３００の放送である」ことを容易に把握することが可能となる。
【００４７】
図９は、受信装置１００が放送装置２００のチャンネルから放送装置３００のチャンネルへ切り替える動作フロー（パターン２）を示すフローチャートである。ここでは、受信装置１００を携行するユーザが、図１のような通常の放送装置２００のデジタル放送のチャンネルＡを受信できるエリアから、放送装置３００からの放送を受信できるエリアへ次第に移動し、チャンネルＡの受信品質が悪くなるケースを想定する。図１４の（ｂ）にこのパターン２における画面遷移図を示す。図９に示すように、ステップＳ２０１にて、放送装置２００が放送するチャンネルＡを受信して表示している。ステップＳ２０１の後、チャンネルＡ受信中において、受信品質が任意の閾値Ｎ以下になった場合（ステップＳ２０２）、ステップＳ２０３に進み、放送装置３００が放送する放送のガイドｃｈを選局する。
【００４８】
この選局を受けてチューナ部１２０はガイドｃｈにチューニングし、ガイドｃｈが存在する、即ち、受信できるか否かを電界強度などを用いて判定する（ステップＳ２０４）。ガイドｃｈが存在する、即ち、受信できる場合は、ガイドｃｈから番組表を取得する（ステップＳ２０５）。この取得した番組表から、チャンネルＡに対応する、即ち、チャンネルＡと同じサービスＩＤを持つ放送装置３００のチャンネルＰを選局し（ステップＳ２０６）、チャンネルＰを表示する（ステップＳ２０７）。また、チャンネルＰを受信・表示しているときは、これをユーザに通知する放送装置３００の放送を示すマークを表示する。放送装置３００の放送を示すマークの表示には、放送装置３００の放送が受信可能である旨のみを示す、非強調表示と、放送装置３００が受信可能であり、かつ、画面に、放送装置３００の放送を表示している旨を示す強調表示があり、ステップＳ２０８では、放送装置３００の放送を示すマークを点灯（輝度増大）することによって、強調表示させてある。ステップＳ２０４においてガイドｃｈが受信できなければ、ステップＳ２０９に進み、「受信できません」と放送装置３００の放送が受信できない旨（メッセージ）を表示して、処理を終える。もちろん、この場合は放送装置３００の放送を示すマークを表示しない。
【００４９】
図１４の（ｂ）に示すように、パターン２の場合は、「チャンネルＡの視聴中」から、「チャンネルＰの番組（視聴中）」に画面が遷移し、ユーザの操作を介することなく、スムーズに放送装置３００の放送に移行することができる。また、画面には、放送装置３００の放送を示すマークＭＫ２を表示・点滅するため、ユーザは、自分が視聴している放送が、放送装置２００の通常の放送とは異なる「放送装置３００の放送である」ことを容易に把握することが可能となる。
【００５０】
図１０は、受信装置１００が放送装置２００のチャンネルから放送装置３００のチャンネルへ手動で切り替える動作フロー（パターン３）を示すフローチャートである。ここでは、受信装置１００を携行するユーザが、図１のような通常の放送装置２００のデジタル放送を受信中に、入力部１９０に設けた図示しない放送装置３００の放送受信ボタン（周波数編成情報を格納したセグメントを受信する機能を割り当てたボタン）を押下することによって、放送装置３００からの放送に切り替えるケースを想定する。図１４の（ｃ）にこのパターン３における画面遷移図を示す。図１０に示すように、ステップＳ３０１にて、放送装置２００が放送するチャンネルＡを受信して表示している。ステップＳ３０１の後、チャンネルＡ受信中において、入力部１９０に設けた放送装置３００の放送受信ボタン（図示せず）を押下する。このボタン押下を検知した制御部１１０は、チューナ部１２０が放送装置３００が放送するガイドｃｈを選局するように制御する。この制御を受けてチューナ部１２０はガイドｃｈにチューニングし（ステップＳ３０３）、ガイドｃｈが存在する、即ち、受信できるか否かを電界強度などを用いて判定する（ステップＳ３０４）。ガイドｃｈが存在する、即ち、ガイドｃｈが受信できる場合、ガイドｃｈから番組表を取得して、さらに、受信中であったチャンネルＡに対応する、即ち、同じサービスＩＤを持つ放送装置３００のチャンネルＰを選局し、チャンネルＰを表示する（ステップＳ３０５）。また、チャンネルＰを受信・表示しているときは、これをユーザに通知する放送装置３００の放送を示すマークを表示する。ステップＳ３０６では、放送装置３００の放送を示すマークを点灯（或いは輝度増大）、点滅することによって、強調表示する。ステップＳ３０４にて、ガイドｃｈが存在しない（受信できない）場合は、ステップＳ３０７に進み、「受信できません」と放送装置３００の放送が受信できない旨（メッセージ）を表示し、元のチャンネルＡを受信・表示して（ステップＳ３０８）、処理を終える。もちろん、この場合は放送装置３００の放送を示すマークを表示しない。
【００５１】
図１４の（ｃ）に示すように、パターン３の場合は、「チャンネルＡの視聴中」から、「チャンネルＰの番組（視聴中）」に画面が遷移し、ユーザの操作に応じて、スムーズに放送装置３００の放送に移行することができる。また、画面には、放送装置３００の放送を示すマークＭＫ３を表示・点滅するため、ユーザは、自分が視聴している放送が、放送装置２００の通常の放送とは異なる「放送装置３００の放送である」ことを容易に把握することが可能となる。
【００５２】
図１１は、受信装置１００が放送装置３００のチャンネルから放送装置２００のチャンネルへ切り替える動作フロー（パターン４）を示すフローチャートである。ここでは、テレビ起動後に、放送装置２００の通常の地上デジタル放送と、放送装置３００の放送とがどちらも視聴可能なエリアにいるケースを想定する。また、ユーザが最後に視聴した放送装置２００が放送するチャンネル（説明ではチャンネルＡ）がラストチャンネルとして記録部１８５に格納されているものとする。図１５の（ａ）にこのパターン４における画面遷移図を示す。図１１に示すように、ステップＳ４０１にて、ユーザは、入力部１９０を用いてテレビ機能を起動する。この起動を受けて、制御部１１０は、チューナ部１２０が、ラストチャンネルとして登録されている放送装置２００が放送するチャンネルＡを選局するように制御する。これを受けたチューナ部１２０は、チャンネルＡにチューニングする（ステップＳ４０２）。次に、ステップＳ４０３にて、放送装置３００が放送するガイドｃｈを選局する。そして、ステップＳ４０４にて、ガイドｃｈが存在する、即ち、受信できるか否かを電界強度などを用いて判定する。ガイドｃｈが存在する場合は、ガイドｃｈから番組表を取得する（ステップＳ４０５）。ステップＳ４０６では、チャンネルＡが存在する、即ち、受信できるか否かを電界強度などを用いて判定する。チャンネルＡがある、即ち、受信できる場合は、チャンネルＡを表示する（ステップＳ４０７）。チャンネルＡが存在しない、即ち、受信できない場合は、ステップＳ４１０に進み、ステップＳ４０５で取得した番組表から、チャンネルＡに対応する、即ち、チャンネルＡと同じサービスＩＤを持つ放送装置３００のチャンネルＰを選局し（ステップＳ４１１）、チャンネルＰを表示する（ステップＳ４１２）。また、チャンネルＰを受信・表示しているときは、これをユーザに通知する放送装置３００の放送を示すマークを表示する。ステップＳ４１３では、放送装置３００の放送を示すマークを点灯（輝度増大）することによって、放送装置３００の放送を受信中であることを示してある。ステップＳ４１０において、対応する放送装置３００の放送のチャンネルＰがない場合は、ステップＳ４１４に進み、「受信できません」と受信できない旨（メッセージ）を表示して、処理を終える。なお、ステップＳ４０７においてチャンネルＡを表示しても、ガイドｃｈが受信できている場合（ステップＳ４０８）、放送装置３００の放送を示すマークを表示する（ステップＳ４０９）。
【００５３】
図１５の（ａ）に示すように、パターン４においてステップＳ４０９に至る場合は、「待受画面」から、「選局中」、「放送装置２００のデジタル放送の番組（視聴中）」に画面が次第に遷移してゆき、ユーザの操作を介することなく、スムーズに番組を視聴すると共に、画面には、放送装置３００の放送を示すマークＭＫ４を表示させてあるため、ユーザは、自分が視聴している放送が、放送装置２００の通常の放送ではあるが、この通常の放送（サービス）に相当する「放送装置３００の放送も視聴可能」であり、放送装置３００の放送受信に移行可能であることを容易に把握することができる。
【００５４】
図１２は、受信装置１００が放送装置２００のチャンネルから放送装置３００のチャンネルへ切り替えることが可能か否かを検査する動作フロー（パターン５）を示すフローチャートである。ここでは、受信装置１００を携行するユーザが、図１のような通常の放送装置２００のデジタル放送を受信中に、入力部１９０に設けた図示しない放送装置３００の放送受信ボタン（周波数編成情報を格納したセグメントを受信する機能を割り当てたボタン）を押下することによって、「放送装置３００からの放送が受信可能か否かのみを検査する」ケースを想定する。図１５の（ｂ）にこのパターン５における画面遷移図を示す。図１２に示すように、ステップＳ５０１にて、チャンネルＡを受信して表示している。ステップＳ５０１の後、放送装置２００のチャンネルＡ受信中において、入力部１９０に設けた放送装置３００の放送受信ボタン（図示せず）を押下する。このボタン押下を検知した制御部１１０は、チューナ部１２０がガイドｃｈを選局するように制御する。この制御を受けてチューナ部１２０はガイドｃｈにチューニングし（ステップＳ５０３）、ガイドｃｈが存在する、即ち、受信できるか否かを電界強度などを用いて判定する（ステップＳ５０４）。ガイドｃｈが存在する、即ち、ガイドｃｈが受信できる場合、ガイドｃｈから番組表を取得するが、再度、チャンネルＡに選局して、チャンネルＡの表示を続行する（ステップＳ５０５）。そして、放送装置３００の放送を視聴可能であることをユーザに知らせるために、放送装置３００の放送を示すマークを表示する。ステップＳ５０６では、放送装置３００の放送を示すマークを非点灯（或いは輝度減少）することによって、非強調表示させてある。ステップＳ５０４にて、ガイドｃｈが存在しない（受信できない）場合は、ステップＳ５０７に進み、「受信できません」と放送装置３００の放送が受信できない旨（メッセージ）を表示し、元のチャンネルＡを受信・表示して（ステップＳ５０８）、処理を終える。もちろん、この場合は放送装置３００の放送を示すマークを表示しない。
【００５５】
図１５の（ｂ）に示すように、パターン５の場合は、「チャンネルＡの視聴中」の画面から、「放送装置３００の放送の番組」が視聴可能である旨を通知する画面が遷移し、ユーザの操作に応じて、現在視聴しているチャンネルＡの番組を表示させながら、バックグランドで「放送装置３００の放送が視聴可能である」ことを検査して、ユーザに通知することができる。即ち、画面には、放送装置３００の放送を示すマークＭＫ５を表示するため、ユーザは、放送装置２００の通常の放送とは異なる「放送装置３００の放送が視聴可能である」ことを容易に把握することが可能となる。
【００５６】
図１３は、放送装置３００のガイドｃｈを選局して番組表を表示させるためのボタンが押下されたときの動作フローを示すフローチャートである。図に示すように、ステップＳ６０１にて、ユーザは、入力部１９０の番組表表示ボタン（図示せず）を押下する。この選局を受けてチューナ部１２０はガイドｃｈにチューニングし（ステップＳ６０２）、ガイドｃｈが存在する、即ち、受信できるか否かを電界強度などを用いて判定する（ステップＳ６０３）。ガイドｃｈが存在する、即ち、ガイドｃｈが受信できる場合、ガイドｃｈから番組表を取得して（ステップＳ６０４）、番組表を表示する（ステップＳ６０５）。ステップＳ６０３にてガイドｃｈが存在しない、即ち、受信できない場合、ステップＳ６０６に進み、「受信できません」と受信できない旨（メッセージ）を表示して、処理を終える。このように、番組表の取得、表示のみを行って、後は、ユーザが所望の番組を選択するという構成を取ることも可能である。
【００５７】
放送装置３００の放送を示すマークＭＫ１−ＭＫ５は、通常のデジタル放送を行っている放送装置２００とは、異なる放送装置３００からのデジタル放送を受信していることを示す表示とすることも可能である。この場合は、放送局のネットワークＩＤなども併せて表示したり、放送装置３００を設置している機関や施設名の情報（例えば、ｙｙｙビル、ｘｘｘ遊園地）を表示したりしてもよい。また、放送装置３００の放送を示すマークＭＫ１−ＭＫ５は、通常のデジタル放送の周波数帯域とは異なる周波数帯域で、通常のサービスと同一のサービスを放送したり、独自のサービスを放送したりするデジタル放送システムの場合、「放送装置３００の放送を示すマークＭＫ１−ＭＫ５の代わりに「通常のデジタル放送の周波数帯域とは異なる周波数帯域（第２周波数帯域）を示すマーク」を、表示とすることも可能である。この場合は、物理チャンネル番号やセグメント番号などを具体的に表示したり、周波数帯域や周波数そのものを併せて表示したりしてもよい。
【００５８】
最後に、本発明の各実施態様の効果をまとめると以下のようになる。
１．現在の１セグ受信機は選局すると部分受信用のセグメント（セグメント番号０）にチューニングするようになっているので、ギャップフィラーなどの放送装置３００から送信されるチャンネル（周波数）のセグメント番号０に周波数編成情報を入れたガイドｃｈを配置することで、受信機は放送装置３００から送信しているチャンネル（周波数）に選局するだけで、放送装置３００がどのサービスを放送しているか知ることが出来る。
２．また、放送装置３００から送信されているチャンネル（周波数）に選局しても受信できない場合（即ち、放送装置３００のエリア外の場合）、独自放送しているサービスも受信できない可能性が高いので、ユーザは無駄な操作（例えば、チャンネルスキャン）を行わなくてもよい。
３．逆にガイドｃｈが受信できれば、ユーザのいる場所は放送装置３００のエリア内だということが分かる。即ち、放送装置３００が送信しているサービスも受信できる可能性が高い。
４．あるデジタル放送のチャンネルを受信中に弱電界になっても、放送装置３００のガイドｃｈをサーチして受信できれば、見ていたチャンネルと同じサービスの放送装置３００の放送のチャンネルを選局して表示するので、ユーザが意識することなく、即ち、シームレスに通常の放送装置２００のチャンネルから放送装置３００チャンネルへ切り替えることができる。
【００５９】
５．逆に放送装置３００のチャンネルを受信中に弱電界になっても、見ていたサービスと同じサービスの放送のチャンネルを選局して表示するので、ユーザが意識することなく放送装置３００のチャンネルから、通常の放送装置２００のチャンネルへ切り替えることができる。
６．放送装置３００の放送の周波数編成情報を格納したセグメントを受信する機能を割り当てたボタンを押下すると番組情報が表示されるので、ユーザはいつでも放送装置３００の番組を知ることができる。
７．放送装置３００の放送受信中は常に放送装置３００放送受信中を示す表示（ＭＫ１−３）を行うため、ユーザは放送装置３００の放送を受信していることが容易に判断できる。
８．さらに放送装置３００の放送を受信していることがわかれば、ユーザは放送装置３００の放送に含まれる他のチャンネルを選局するきっかけとなりえる。
９．また、起動時に、放送装置２００の放送と放送装置３００の放送を交互受信し、放送装置２００放送表示中も放送装置３００の放送が受信可能であることをユーザに通知（ＭＫ４，５）することができる。
【００６０】
上記１−９の効果を２つの放送装置で同一のサービスを放送するとともに、放送装置３００が独自放送を行うデジタル通信システムを例にして説明したが、同一のサービスを第１の周波数帯域と第２の周波数帯域とで放送するとともに、第２の周波数帯域で独自放送を行うデジタル通信システムの場合も同様の効果を有するものでる。つまり、第２の周波数帯域を受信してること、或いは受信可能であることを表示したりすることで、独自サービスの存在をユーザに通知することができる。
【００６１】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部、各手段、各ステップなどに含まれる機能などは論理的に矛盾しないように再配置可能であり、複数の手段やステップなどを１つに組み合わせたり、或いは分割したりすることが可能である。
【００６２】
例えば、図３に示すように、ガイドｃｈ、および、これに関連付けられた各チャンネル（サービス）は、１つの物理チャンネル内に収容している態様を説明したが、本発明はこれに限定されるものではない。即ち、ガイドｃｈが、物理チャンネルやセグメントを問わず何らかの周波数帯域で放送され、このガイドｃｈに、各サービスとこれらに関連付けられた各サービスが放送されている周波数情報（物理チャンネルやセグメント番号、或いはこれに類する同様のものなど）が格納されていれば足りる。また、本発明では、ガイドｃｈは、放送装置３００から送信される態様で説明したが、通常の放送を行う放送装置である放送装置２００、或いは、全く別個にスポット的に設けられた他の放送装置から独自サービスやガイドｃｈを放送してもよい。即ち、本発明では、物理周波数とサービスとの対応関係を示す周波数編成情報を放送装置を問わずに受信できれば良く、周波数編成情報（ガイドｃｈ）によりガイドされるサービスを放送している放送装置も問わないことに注意されたい。また、ガイドｃｈでガイドされるサービスは、特定の物理チャンネル内の連結されたセグメントを挙げたが、これは単なる例示に過ぎず、ガイドｃｈでガイドされるサービスは、別個の物理チャンネル、或いは、別個の物理チャンネルの任意のセグメントに収容されていてもよい。図１６に、放送装置３００が使用する周波数配置の一例を示す。図１６に示すように、ある周波数帯域（物理チャンネルやセグメント）をガイドチャンネルとし、他の周波数帯域（物理チャンネルやセグメント）とサービスとの対応関係を示す周波数編成情報を放送する態様も含むものである。
【００６３】
また、図１、図２に示した放送装置３００は、光ファイバでＴＳ信号を受ける構成で説明したが、放送装置３００はこれに限定されず、例えば、受信用アンテナを設けて、これを用いて他の放送装置からＲＦ信号を受信する中継装置やギャップフィラー装置として構成してもよい。また、同一のサービスを第１の周波数帯域と第２の周波数帯域とで放送するとともに、第２の周波数帯域で独自のサービスを放送するデジタル通信システムの場合、同一の放送装置が第１、第２の周波数帯域を用いて放送してもよい。
【図面の簡単な説明】
【００６４】
【図１】本発明が適用される受信装置およびこれに放送波を提供する放送装置から構成される放送システムの構成図である。
【図２】放送装置３００のブロック図である。
【図３】放送装置３００が送信するチャンネルのセグメント構成を示す図である。
【図４】本発明の一実施態様による受信装置のブロック図である。
【図５】ガイドｃｈで放送しているデータ放送を表示した画面イメージを示す図である。
【図６】ガイドｃｈで使用されるＢＭＬ(Broadcast Markup Language)のソースコードの一例を示す図である。
【図７】ガイドｃｈのデータ放送のデータに含まれるセグメントと番組名を関連付けた対応表である。
【図８】テレビ起動後に放送装置３００の放送しかない場合の受信装置１００の動作フロー（パターン１）を示すフローチャートである。
【図９】受信装置１００が放送装置２００のチャンネルから放送装置３００のチャンネルへ切り替える動作フロー（パターン２）を示すフローチャートである。
【図１０】受信装置１００が放送装置２００のチャンネルから放送装置３００のチャンネルへ手動で切り替える動作フロー（パターン３）を示すフローチャートである。
【図１１】受信装置１００が放送装置３００のチャンネルから放送装置２００のチャンネルへ切り替える動作フロー（パターン４）を示すフローチャートである。
【図１２】受信装置１００が放送装置２００のチャンネルから放送装置３００のチャンネルへ切り替えることが可能か否かを検査する動作フロー（パターン５）を示すフローチャートである。
【図１３】放送装置３００のガイドｃｈを選局して番組表を表示させるためのボタンが押下されたときの動作フローを示すフローチャートである。
【図１４】パターン１〜３における画面遷移図である。
【図１５】パターン４，５における画面遷移図である。
【図１６】放送装置３００が使用する周波数配置の一例を示す図である。
【符号の説明】
【００６５】
１００  受信装置
１１０  制御部
１２０  チューナ部
１３０  復調部
１４０  音声デコーダ部
１５０  映像デコーダ部
１６０  データ放送デコーダ部
１７０  画面制御部
１８０  メモリ
１８５  記録部
１９０  入力部
ＤＩＳ  画面表示部
ＳＢ  システムバス
ＳＰ  スピーカ
ＡＮＴ  アンテナ
２００，３００  放送装置
３１０Ａ，３１０Ｂ，３１０Ｚ  ｃｈＡ信号受信部、ｃｈＢ信号受信部、ｃｈＺ信号受信部
３１２Ａ，３１２Ｂ，３１２Ｚ  ＴＳ信号受信部
３１４Ａ，３１４Ｂ，３１４Ｚ  サービス情報抽出部
３２０  多重化処理部
３３０  変調部
３４０  送信部
３５０  ガイドｃｈ作成部
３６０  アンテナ
ＭＫ１−ＭＫ５  放送装置３００の放送を示すマーク
【図１】
2008289019.tif 000003
【図２】
2008289019.tif 000004
【図３】
2008289019.tif 000005
【図４】
2008289019.tif 000006
【図５】
2008289019.tif 000007
【図６】
2008289019.tif 000008
【図７】
2008289019.tif 000009
【図８】
2008289019.tif 000010
【図９】
2008289019.tif 000011
【図１０】
2008289019.tif 000012
【図１１】
2008289019.tif 000013
【図１２】
2008289019.tif 000014
【図１３】
2008289019.tif 000015
【図１４】
2008289019.tif 000016
【図１５】
2008289019.tif 000017
【図１６】
2008289019.tif 000018